【手続補正書】
【提出日】平成19年9月14日(2007.9.14)
【手続補正１】
【補正対象書類名】明細書
【補正対象項目名】特許請求の範囲
【補正方法】変更
【補正の内容】
【特許請求の範囲】
【請求項１】
医療手順における引き続く使用のために哺乳動物血液を調整するための装置であって、該装置は、以下：
安全な環境と、該安全な環境への唯一のアクセスを提供するためのドアとを有する、キャビネット；
供給源から該キャビネットへ血液チャージを輸送するための投入システム；
該安全な環境に取り外し可能に収容されそして該チャージを受け取るために該投入システムに連結された、フラスコ；
該キャビネットに連結され、そして該フラスコにおいて調整されたチャージを作成する操作のために位置付けられた、ストレッサーであって、前記キャビネットに除去可能に連結された酸素供給源と、前記フラスコへの送達のためのオゾン／酸素混合物を生成させるために該酸素供給源に連結されたオゾン発生器とを備える、ストレッサー；
該フラスコに連結されそして該調整されたチャージのレシーバを備える、排出システム；
制御システムであって、該キャビネットに備えられ、そして該ドアを閉じた際に該ドアをロックし、次いで該チャージを自動的に調整し、そして該チャージを該フラスコから該レシーバへ移動させるように作動可能であり、それにより該投入システムからのチャージは調整され、そして該レシーバに送達され、次いで該ドアはロック解除され、そして該調整されたチャージは、取り出され、そして該医療手順を完了するために使用される、制御システム；
からなる、装置。
【請求項２】
請求項１に記載の装置であって、前記投入システムが、前記チャージの少なくとも一部を形成させるために血液を引き出すように作動可能な投入シリンジ、および該チャージを前記フラスコに輸送するために該フラスコに該投入シリンジを接続する投入チューブを備える、装置。
【請求項３】
請求項２に記載の装置であって、前記投入チューブが熱可塑性チューブであり、前記キャビネットが、該投入チューブをシールおよび切断するように作動可能な第１の熱シーラーを備え、それにより前記投入シリンジが引き続く除去のために該キャビネットおよびフラスコから分離され得る、装置。
【請求項４】
請求項２に記載の装置であって、前記投入シリンジが、第１および第２のポートを有するバルブ付きＴ−コネクタを備え、その結果、該第１のポートが前記チャージを引き抜くために利用可能であって、そして該第２のポートが該チャージを前記フラスコに輸送するための使用のための前記投入チューブに取り付けられる、装置。
【請求項５】
請求項１に記載の装置であって、前記フラスコが、前記チャージの容量より有意に大きい内部容量を有し、該チャージが泡立つのを可能にし、それにより、該ストレッサーが該チャージを調整するために可能な表面積を増大させる、装置。
【請求項６】
請求項１に記載の装置であって、前記フラスコが、前記チャージを受け取るための内部容量を規定する主要部分および該主要部分に連結されるコネクタアセンブリを備える、装置。
【請求項７】
請求項６に記載の装置であって、前記コネクタアセンブリに連結されそして前記主要部分に備えられたプローブをさらに備え、該プローブはリーディング端部まで伸長し、そして前記内部容量に前記チャージを送達するための前記投入システムに連結された投入管腔、および前記排出システムに前記調整されたチャージを送達するための該排出システムに連結された排出管腔を有する、装置。
【請求項８】
請求項７に記載の装置であって、前記プローブが、前記チャージを泡立たせるように該チャージに気体ストレッサーを送達するための、前記ストレッサーの１つに連結された気体管腔をさらに備える、装置。
【請求項９】
請求項７に記載の装置であって、前記プローブが、さらなる管腔、および前記チャージの温度をモニターするための、該さらなる管腔に配置された温度センサーをさらに備える、装置。
【請求項１０】
前記管腔が前記リーディング端部まで伸長する、請求項７に記載の装置。
【請求項１１】
前記管腔が前記リーディング端部まで伸長する、請求項８に記載の装置。
【請求項１２】
請求項９に記載の装置であって、前記さらなる管腔が側部開口部の隣接した前記リーディング端部で終了し、そして前記温度センサーが、前記チャージとのより優れた熱接触ために、該側部開口部で終了する、装置。
【請求項１３】
請求項１２に記載の装置であって、前記センサーと前記チャージとの間の接触を避けるために、前記温度センサーを囲むフィルムスリーブをさらに備える、装置。
【請求項１４】
請求項９に記載の装置であって、前記温度プローブが、該プローブのリーディング端部で前記さらなる管腔に係合しそして下方に伸長する伸長部をさらに備え、前記フラスコが、前記主要部分の底部にソケットを備え、そして該ソケットは、該フラスコの該主要部分に該プローブを位置付けるために、該伸長部の少なくとも一部を収容するように下方に伸長する、装置。
【請求項１５】
前記ソケットが、該ソケットの前記伸長部を保持するために圧着される、請求項１４に記載の装置。
【請求項１６】
請求項１に記載の装置であって、前記センサーの１つが、前記チャージを照射して前記フラスコ中の該チャージを加熱するための、該フラスコの下のキャビネット中に位置付けられる赤外線供給源である、装置。
【請求項１７】
請求項１に記載の装置であって、前記センサーの１つが、前記フラスコ中のチャージをストレスするために該チャージを紫外線に供するための、該キャビネット中に位置付けられる赤外線供給源である、装置。
【請求項１８】
請求項１に記載の装置であって、前記キャビネットにが、下方移動で前記フラスコを受け取るためのキャビティを備え、前記キャビティが、前記ストレッサーに関連して該フラスコを位置付けるように配置される、装置。
【請求項１９】
請求項１に記載の装置であって、前記キャビネットが、フロントリセス、および該リセスの上に頂部凹部を備え、前記ドアが閉鎖位置に存在する場合、該フロントリセスおよび該凹部の両方をカバーするように該ドアが形成される、装置。
【請求項２０】
前記レシーバが排出シリンジである、請求項１に記載の装置。
【請求項２１】
請求項２０に記載の装置であって、アクチュエーターをさらに備え、該アクチュエーターは、前記キャビネットに取り付けられそして前記フラスコから前記調整されたチャージを最初に引き出し、次いで前記患者に該チャージを注射するために使用される該制御システムによって指示されるように、前記排出シリンジを操作するように位置される、装置。
【請求項２２】
請求項２０に記載の装置であって、前記調整されたチャージを前記シリンジに輸送するために、該排出シリンジに前記フラスコを連結する熱可塑性排出チューブをさらに備える、装置。
【請求項２３】
請求項２２に記載の装置であって、前記キャビネッツトに取り付けられた、そして前記フラスコと前記排出シリンジとの間の前記排出チューブをシールおよび切断するために、前記制御システムによって操作されるように配置される第２の熱シーラーをさらに備える、装置。
【請求項２４】
請求項２１に記載の装置であって、前記キャビネットに取り付けられ、そして前記排シリンジによって備えられる前記調整されたチャージにおける任意の泡を消失させるための該排出シリンジをたたくために配置されたノッカーをさらに備える、装置。
【請求項２５】
請求項１に記載の装置であって、前記制御システムが、前記オペレータによって保有される第１の識別名,および前記患者によって保有される第２の識別名を認識するための認識システムを含み、該認識システムが、認識し、次いで該オペレータが該装置を操作するのを可能にするために適合される、装置。
【請求項２６】
請求項１に記載の装置であって、許可されていない使用を防止するための該装置のオペレータを認識するために使用されるカード上の個別の情報を読むためのオペレータカードリーダーをさらに備える、装置。
【請求項２７】
請求項２６に記載の装置であって、患者が、患者カードリーダーへの患者カードの提示によって認識され得るように、該患者を認識するために使用される該患者カード上の個別の情報を読むための患者カードリーダーをさらに備える、装置。
【請求項２８】
個々の患者のための手順に関するデータのプリントアウトを提供するためのプリンターをさらに備える請求項１に記載の装置。
【請求項２９】
前記制御システムが、前記オペレータのためのグラフィックディスプレイインターフェースを備える請求項１に記載の装置。